(57)【特許請求の範囲】
【請求項１】
面材が嵌め込まれたＦＩＸ窓用の既設サッシが有する既設枠に固定される改装枠と、
前記改装枠に取り付けられる障子と、
を有し、
前記改装枠は、
前記既設枠に固定され、前記面材が取り外された前記既設サッシの前記既設枠において前記面材の上端が挿入されていた部位を形成し当該面材の上端を室外側から支持していた上側の面材支持部に当接される既設枠当接部を有する上連結部材の、前記上側の面材支持部より下方に突出する上側の改装枠当接部に当接され、
前記改装枠より下方に突出させて当該改装枠に固定された下連結部材の既設枠当接部が、前記既設枠において前記面材の下端が挿入されていた部位を形成し当該面材の下端を室外側から支持していた下側の面材支持部に当接されて見込み方向の位置が位置決めされ、
前記既設枠が固定されている躯体に、見込み方向と交差する方向に向かって進入するビスにより固定されることを特徴とする改装サッシ。
【請求項２】
請求項１に記載の改装サッシであって、
下側の前記面材支持部と、前記下連結部材の前記既設枠当接部とは、前記下連結部材の前記既設枠当接部が当接される下側の前記面材支持部の当接面と直交する方向に進入する固定具にて固定されることを特徴とする改装サッシ。
【請求項３】
請求項１または請求項２に記載の改装サッシであって、
前記躯体と間隔を隔てた位置にて前記改装枠に固定されて前記躯体側に突出し、
室内に臨む室内側面と、前記躯体側に向く躯体側面とが表裏一体をなし、室外側から室内側に向かって前記躯体に近づくように傾斜する躯体対向部を有するアタッチメントを有し、
前記改装枠は前記躯体対向部を貫通する前記ビスにて前記躯体に固定されることを特徴とする改装サッシ。
【請求項４】
請求項１乃至請求項３のいずれかに記載の改装サッシであって、
前記改装枠は、前記既設枠の内周側に室内側から挿入されて、室内側から固定されることを特徴とする改装サッシ。
【請求項５】
室内外を連通する開口に設けられたＦＩＸ窓用の既設サッシを改装するサッシの改装方法であって、
前記既設サッシに備えられた面材を取り外す面材除去工程と、
新たに取り付ける改装枠に固定された下連結部材の、前記改装枠より下方に突出された既設枠当接部を、前記面材が取り外されて残存し前記面材の下端が挿入されていた部位に挿入し、当該面材の下端が挿入されていた部位を形成し当該面材の下端を室外側から支持していた下側の面材支持部に当接させ、
前記面材の上端が挿入されていた部位を形成し当該面材の上端を室外側から支持していた上側の面材支持部に既設枠当接部を当接させて前記既設サッシが有する既設枠に固定された、当該既設枠当接部を有する上連結部材の、前記上側の面材支持部より下方に突出する上側の改装枠当接部に前記改装枠を当接させて、当該改装枠の見込み方向の位置を位置決めする改装枠位置決め工程と、
前記改装枠を見込み方向と交差する方向に向かって進入するビスにより前記既設枠が固定されている躯体に固定する固定工程と、
を有することを特徴とするサッシの改装方法。
【発明の詳細な説明】
【技術分野】
【０００１】
本発明は、ＦＩＸ窓用の既設サッシを改装するための改装サッシ及びサッシの改装方法に関する。
【背景技術】
【０００２】
建物の開口に設けられた既設サッシの中には、開閉不能にガラスが嵌め込まれたＦＩＸ窓用のサッシがある。また、既に設けられているＦＩＸ窓を開閉可能な窓に改装することを希望される場合がある。
【発明の概要】
【発明が解決しようとする課題】
【０００３】
サッシの改装は、居住している住戸の窓を改装する場合があるため、短時間で仕上げることが要求され、また、室内外を連通する部位なので、精度良く取り付けることが要求されるという課題がある。
【０００４】
本発明は、かかる課題に鑑みてなされたものであり、その目的とするところは、精度良く取り付けられ、且つ施工性に優れた改装サッシ、及び、サッシの改装方法を提供することにある。
【課題を解決するための手段】
【０００５】
かかる目的を達成するために本発明の改装サッシは、面材が嵌め込まれたＦＩＸ窓用の既設サッシが有する既設枠に固定される改装枠と、前記改装枠に取り付けられる障子と、を有し、前記改装枠は、前記既設枠に固定され、前記面材が取り外された前記既設サッシの前記既設枠において前記面材の上端が挿入されていた部位を形成し当該面材の上端を室外側から支持していた上側の面材支持部に当接される既設枠当接部を有する上連結部材の、前記上側の面材支持部より下方に突出する上側の改装枠当接部に当接され、前記改装枠より下方に突出させて当該改装枠に固定された下連結部材の既設枠当接部が、前記既設枠において前記面材の下端が挿入されていた部位を形成し当該面材の下端を室外側から支持していた下側の面材支持部に当接されて見込み方向の位置が位置決めされ、前記既設枠が固定されている躯体に、見込み方向と交差する方向に向かって進入するビスにより固定されることを特徴とする改装サッシである。
【０００６】
ＦＩＸ窓用の既設枠において面材を室外側から支持していた面材支持部は、面材の単一の面を支持するので、既設枠の全周に渡って同一平面をなすように形成されている。上記改装サッシの改装枠は、面材が取り外された既設サッシの面材支持部にて位置決めされるので、既設枠の同一平面をなす部位にて容易にかつ精度良く位置決めされる。特に、改装枠が位置決めされる面材支持部は、重量のある面材を支持するだけの強度を備えているので、変形しにくく精度を保ちやすい。このため、改装枠を精度良くかつ容易に位置決めして躯体に固定することが可能である。
【０００７】
また、連結部材は面材当接部材に当接されて既設枠に固定されているので、連結部材は面材当接部を基準として既設枠に対して位置決めされて固定される。そして、改装枠は、面材当接部を基準として既設枠に対して位置決めされて固定された連結部材の改装枠当接部に当接されるので、連結部材を介して既設枠に対して位置決めされる。このため、改装枠を確実に精度良く既設枠に位置決めして躯体に固定することが可能である。
【０００８】
かかる改装サッシであって、下側の前記面材支持部と、前記下連結部材の前記既設枠当接部とは、前記下連結部材の前記既設枠当接部が当接される下側の前記面材支持部の当接面と直交する方向に進入する固定具にて固定されることが望ましい。
このような改装サッシによれば、面材支持部は面材を室外側から支持する部位なので、面材支持部の当接面と直交する方向に進入する固定具により既設枠当接部が固定されると連結部材と面材支持部とが確実に当接されて位置決めできるとともに、より強固に固定することが可能である。
【０００９】
かかる改装サッシであって、前記躯体と間隔を隔てた位置にて前記改装枠に固定されて前記躯体側に突出し、室内に臨む室内側面と、前記躯体側に向く躯体側面とが表裏一体をなし、室外側から室内側に向かって前記躯体に近づくように傾斜する躯体対向部を有するアタッチメントを有し、前記改装枠は前記躯体対向部を貫通する前記ビスにて前記躯体に固定されることとしても良い。  
このような改装サッシによれば、改装枠に固定されるアタッチメントは室内に臨む室内側面と、躯体側に躯体対向面とが表裏一体をなす躯体対向部を有しているので、改装枠に固定されたアタッチメントが躯体対向部を貫通するビスにより躯体に取り付けられることにより、改装枠を強固に躯体に固定することが可能である。
【００１０】
かかる改装サッシであって、前記改装枠は、前記既設枠の内周側に室内側から挿入されて、室内側から固定されることが望ましい。  
このような改装サッシによれば、改装枠は、既設枠の内周側に室内側から挿入され、室内側から固定されるので、室内の安定した場所にて施行することが可能である。また、改装枠の挿入方向と固定方向とが同一なので、室内側からだけの作業で改装することが可能である。このため、施工性に優れた改装サッシを提供することが可能である。
【００１１】
また、室内外を連通する開口に設けられたＦＩＸ窓用の既設サッシを改装するサッシの改装方法であって、前記既設サッシに備えられた面材を取り外す面材除去工程と、新たに取り付ける改装枠に固定された下連結部材の、前記改装枠より下方に突出された既設枠当接部を、前記面材が取り外されて残存し前記面材の下端が挿入されていた部位に挿入し、当該面材の下端が挿入されていた部位を形成し当該面材の下端を室外側から支持していた下側の面材支持部に当接させ、前記面材の上端が挿入されていた部位を形成し当該面材の上端を室外側から支持していた上側の面材支持部に既設枠当接部を当接させて前記既設サッシが有する既設枠に固定された、当該既設枠当接部を有する上連結部材の、前記上側の面材支持部より下方に突出する上側の改装枠当接部に前記改装枠を当接させて、当該改装枠の見込み方向の位置を位置決めする改装枠位置決め工程と、前記改装枠を見込み方向と交差する方向に向かって進入するビスにより前記既設枠が固定されている躯体に固定する固定工程と、を有することを特徴とするサッシの改装方法である。
【００１２】
面材が取り外された既設サッシの既設枠において面材を室外側から支持していた面材支持部は、面材の単一の面を支持するので、既設枠の全周に渡って同一平面をなすように形成されている。このため、上記のサッシの改装方法によれば、改装枠が面材支持部にて位置決めするので、既設枠の同一平面をなす部位にて精度良く位置決めすることが可能である。また、改装枠が位置決めされる面材支持部は、重量のある面材を支持するだけの強度を備えているので、変形しにくく精度を保ちやすい。このため、改装枠を精度良くかつ容易に位置決めして躯体に固定することが可能である。
【発明の効果】
【００１３】
本発明によれば、精度良く取り付けられ、且つ施工性に優れた改装サッシ及びサッシの改装方法を提供することが可能である。
【図面の簡単な説明】
【００１４】
【図１】本実施形態に係る既設サッシ及び改装サッシを説明するための縦断面図である。
【図２】本実施形態に係る既設サッシ及び改装サッシを説明するための横断面図である。
【図３】改装サッシの改装方法を説明するための縦断面図である。
【図４】改装サッシの改装方法を説明するための横断面図である。
【図５】複層ガラスが設けられたＦＩＸ窓に対応した上連結部材を説明する縦断面図である。
【発明を実施するための形態】
【００１５】
以下、本発明の一実施形態に係る改装サッシ、及び、サッシの改装方法について図面を参照して説明する。
【００１６】
本実施形態の改装サッシ１０は、図１、図２に示すように、縦辷出し窓用のサッシであり、室内外を連通する開口２に既に設けられており面材としてのガラス５８が嵌め込まれたＦＩＸ窓用の既設サッシ５０が有する既設枠５１に連結部材３０、３１、３３を介して固定される改装枠２０と、改装枠２０に開閉自在に設けられた改装障子１２と、改装障子１２の室内側に設けられた横引き網戸１４と、を有している。
【００１７】
以下の説明においては、既設サッシ５０が有し建物に既に設けられている既存の既設枠５１と、新たに取り付けられる改装サッシとが登場するが、同じ名称を有する部位、部材にて、わかりにくい場合には、各名称の前に「既設」または「改装」を付して説明する。例えば、既設枠が有する下枠や縦枠等は、既設下枠、既設縦枠等とし、改装サッシが有する縦枠や障子等は、改装縦枠、改装障子等として説明する。
【００１８】
また、以下の説明においては、建物等に取り付けられた状態の既設枠５１及び改装サッシ１０を屋内側から見たときに、上下となる方向を上下方向、左右となる方向を左右方向または見付け方向、屋内外方向である奥行き方向を見込み方向として示す。また、改装サッシ１０が備える各部材は、単体の状態であっても開口に取り付けられた状態で上下方向、見付け方向、見込み方向等となる方向にて方向を特定して説明する。また、開口２の上部に取り付けられる枠部材の下側、開口２の下部に取り付けられる枠部材の上側、開口２の左側に取り付けられる枠部材の右側、開口２の右側に取り付けられる部材の左側は、開口の中央側とし、反対側を開口２の外側または外方として示す。
【００１９】
既設枠５１は、既設上枠５２、既設下枠５３、左右の既設縦枠５４が矩形状をなすように躯体３に固定されている。既設上枠５２には、躯体３に固定される上固定ヒレ５２ａと、上固定ヒレ５２ａの下端に設けられほぼ水平な面をなす上面板部５２ｂと、上固定ヒレ５２ａより室外側にて上面板部５２ｂから垂設された上外面材支持部５２ｃと、上固定ヒレ５２ａから下方に延出された部位と繋がって上固定ヒレ５２ａより僅かに室内側にて設けられた上内面材支持部５２ｄと、を有している。
【００２０】
上外面材支持部５２ｃは、下端部に室内側に開放された凹部５２ｅを有しており、凹部５２ｅにはガラス５８の室外側の面に当接されるシール材６０が嵌合されている。上内面材支持部５２ｄの下端は、上外面材支持部５２ｃの下端と同じ位置にて室外側に延出された上枠延出部５２ｇを有し、上枠延出部５２ｇの室外側の端部には上外面材支持部５２ｃと見込み方向に間隔を隔てた位置にて上方に立ち上がる立上部５２ｆが形成されている。そして、ガラス５８は上外面材支持部５２ｃと上内面材支持部５２ｄとの間に介在され、上外面材支持部５２ｃの凹部５２ｅに設けられたシール材６０、ガラス５８と立上部５２ｆとの間に挿入されたビード６１により狭持されている。ここで、凹部５２ｅが既設上枠５２における面材支持部に相当し、凹部５２ｅの室内に臨む面５２ｈが面材支持部の当接面に相当する。
【００２１】
既設下枠５３は、躯体３に固定される下固定ヒレ５３ａと、上外面材支持部５２ｃと上下方向においてに対向する位置に設けられ、上外面材支持部５２ｃの室外側の面と同一平面を形成する下外面材支持部５３ｂと、上内面材支持部５２ｄと上下方向においてに対向する位置にて下外面材支持部５３ｂと見込み方向に対向する位置に設けられた下内面材支持部５３ｃとを有している。
【００２２】
下外面材支持部５３ｂは、上端部に室内側に開放された凹部５３ｄを有しており、凹部５３ｄにはガラス５８の室内側の面に当接されるシール材６０が嵌合されている。下内面材支持部５３ｃの上端は、下外面材支持部５３ｂの上端と同じ位置にて室外側に延出された下枠延出部５３ｅを有し、下枠延出部５３ｅの室外側の端部には下外面材支持部５３ｂと見込み方向に間隔を隔てた位置にて下方に垂設された垂壁部５３ｆが形成されている。そして、ガラス５８は下外面材支持部５３ｂと下内面材支持部５３ｃとの間に介在され、下外面材支持部５３ｂの凹部５３ｄに設けられたシール材６０、ガラス５８と垂壁部５３ｆとの間に挿入されたビード６１により狭持されている。ここで、凹部５３ｄが既設下枠５３における面材支持部に相当し、凹部５３ｄの室内に臨む面５３ｇが面材支持部の当接面に相当する。
【００２３】
左右の既設縦枠５４の形状及びガラス１２の支持方法は同じなので、ここでは、室内側から見て左側に位置する既設縦枠５４を例に挙げて説明する。左の既設縦枠５４は、躯体３に固定される側固定ヒレ５４ａと、側固定ヒレ５４ａの右端、すなわち開口２の中央側の端に設けられ見込み方向に沿う面を有する中央面板部５４ｂと、側固定ヒレ５４ａより室外側にて中央面板部５４ｂから開口２の中央側に突出され上外面材支持部５２ｃ及び下外面材支持部５３ｂの室外側の面と同一平面を形成する側外面材支持部５４ｃと、中央面板部５４ｂの中央側に設けられ側外面材支持部５４ｃより室内側に設けられガラスを支持する押縁５５が嵌合される押縁嵌合部５４ｅとを有している。側外面材支持部５４ｃは、右端部に室内側に開放された凹部５４ｄを有しており、凹部５４ｄにはガラス５８の室外側の面に当接されるシール材６０が嵌合されている。そして、ガラス５８は側外面材支持部５４ｃと押縁５５との間に介在され、側外面材支持部５４ｃの凹部５４ｄに設けられたシール材６０、押縁嵌合部５４ｅに嵌合された押縁５５との間に挿入されたビード６１により狭持されている。ここで、凹部５４ｄが既設縦枠５４における面材支持部に相当し、凹部５４ｄの室内に臨む面５４ｆが面材支持部の当接面に相当する。
【００２４】
本実施形態の改装サッシ１０は、既設サッシ５０の既設枠５１に嵌め込まれたガラス５８と、ガラス５８を室内外から狭持していたシール材６０及びビード６１が取り外された既設枠５１に連結部材３０、３１、３３を介して改装枠２０が取り付けられている。
【００２５】
改装サッシ１０の改装枠２０は、改装上枠２１、改装下枠２２、左右の改装縦枠２３が矩形状をなすように枠組されている。
【００２６】
改装上枠２１は、ほぼ水平面をなす上板部２１ａと、上板部２１ａの見込み方向におけるほぼ中央と、室内側とから垂設された中央垂板部２１ｂ及び室内側垂板部２１ｃと、中央垂板部２１ｂの下端及び室内側垂板部２１ｃの下端を連結する下連結部２１ｄと、上板部２１ａの室外側の先端にて下方に垂設された外垂部２１ｅと、下連結部２１ｄが室内側に延出された延出部２１ｆと、延出部２１ｆの室内側の端部に設けられ鉛直な面を形成して額縁６に当接される上額縁当接部２１ｈとを有している。
【００２７】
延出部２１ｆの下面には、上側の額縁６の室外側の縁部を覆いビス止めされる上額縁カバー２５が嵌合される上嵌合片２１ｇが設けられている。上額縁カバー２５は、上嵌合片２１ｇと嵌合する嵌合部２５ａと、嵌合部２５ａから室内側に延出されて上側の額縁６の下面に当接される額縁カバー部２５ｂと、嵌合部２５ａの室外側の縁から垂設され改装サッシ１０の改装障子１２が当接される障子上当接部２５ｃとを有している。障子上当接部２５ｃの下端には、室外側に開放された凹部２５ｄが形成されており、凹部２５ｄには改装障子１２に当接されるシール材６０が嵌合されている。
【００２８】
改装上枠２１は、既設上枠５２に上連結部材３０を介して固定されるとともに、躯体３に上アタッチメント３７を介して固定されている。
【００２９】
上連結部材３０は、既設上枠５２の上枠延出部５２ｇと、既設サッシ５０用の額縁６ａとの間に介在された飼い木６５とに当接されてビス止めされる既設上枠固定部３０ａと、既設上枠固定部３０ａの室外側の端より僅かに室内側にて下方に垂設された下規制片３０ｂと、下規制片３０ｂより僅かに室内側にて上方に立設された上規制片３０ｄと、を有している。下規制片３０ｂは下端部に室内側に突出された内突起３０ｃを有し、上規制片３０ｄは上端部に室外側に突出された外突起３０ｅを有している。
【００３０】
上アタッチメント３７は、上額縁当接部２１ｈに室内側から当接されてビス止めされる板状の枠体固定板部３７ａと、枠体固定板部３７ａの上端から延出され上方に向かって室内側に傾斜する傾斜板部３７ｂを有している。傾斜板部３７ｂは、枠体固定板部３７ａが上額縁当接部２１ｈにビス止めされると、一方の面が室内に臨む室内側面３７ｃとなり、他方の面が躯体側、具体的には飼い木６５に臨む躯体側面３７ｄとなる躯体対向部に相当する。
【００３１】
改装下枠２２は、ほぼ水平面をなし改装障子１２が支持される支持板部２２ａと、支持板部２２ａの見込み方向における両端部から垂設された外垂板部２２ｂ及び内垂板部２２ｃと、外垂板部２２ｂ及び内垂板部２２ｃの下端を連結するとともに室外側に延出される連結延出部２２ｄと、連結延出部２２ｄを上面として連結延出部２２ｄの下側に設けられた下中空部２２ｅと、内垂板部２２ｃの上端部と断熱材を介して室内側に延出された下延出部２２ｆと、下延出部２２ｆの室内側の端部に設けられ額縁６の室外側の面と対向し上面に当接される下額縁当接部２２ｇと、を有している。連結延出部２２ｄは、下中空部２２ｅより室外側に延出されており、室外側の先端には、後述する下連結部材３１と係合する鉤状部２２ｉが設けられている。下延出部２２ｆの室外側の端には、上方に立設されて下側の額縁６の室外側の縁部を覆いビス止めされる下額縁カバー２６と係合する下係合部２２ｈが設けられている。下額縁カバー２６は、下係合部２２ｈと係合し室外側にて下係合部２２ｈに沿って立ち上がった係合縦壁部２６ａと、下側の額縁６の上面に当接される下額縁当接部２６ｂと、を有し、下額縁当接部２６ｂからほぼ水平に室外側に延出された部位が係合縦壁部２６ａの上端と繋がっている。即ち、係合縦壁部２６ａと下額縁当接部２６ｂとはほぼＬ字状をなしている。また、係合縦壁部２６ａ上端部には、室外側に開放された凹部２６ｃが形成されており、凹部２６ｃには改装障子１２に当接されるシール材６０が嵌合されている。
【００３２】
改装下枠２２は、既設下枠５３に下連結部材３１を介して固定されるとともに、躯体３に下アタッチメント３８を介して固定されている。
【００３３】
下連結部材３１は、改装下枠２２の連結延出部２２ｄに下方からビス止めされる改装枠固定部３１ａと、改装枠固定部３１ａが室外側に延出されて改装下枠２２の鉤状部２２ｉより室外側に突出された突出延出部３１ｂと、突出延出部３１ｂの室外側の縁部より僅かに室内側の位置から垂設されて既設下枠５３の凹部５３ｄに当接される凹部当接部３１ｃとを有している。突出延出部３１ｂは、改装枠固定部３１ａが延出されて改装下枠２２の鉤状部２２ｉに至る前に段部３１ｄを有しており、段部３１ｄの下面が、既設下枠５３の下枠延出部５３ｅに載置されるように構成されている。また、突出延出部３１ｂの凹部当接部３１ｃより室外側の部位は、既設下枠５３の凹部５３ｄ上に載置され、凹部当接部３１ｃの室外側の面が室内側から既設下枠５３の凹部５３ｄに当接されて室外側からビス止めされる。また、突出延出部３１ｂの上面には凹部当接部３１ｃより室内側に鉤状部２２ｉと係合される下係合片３１ｅが設けられている。
【００３４】
下アタッチメント３８は、下額縁当接部２２ｇに室内側から当接されてビス止めされる板状の下枠固定板部３８ａと、下枠固定板部３８ａの下端から延出され下方に向かって室内側に傾斜する傾斜板部３８ｂを有している。傾斜板部３８ｂは、下枠固定板部３８ａが下額縁当接部２２ｇにビス止めされると、一方の面が室内に臨む室内側面３８ｃとなり、他方の面が躯体側、具体的には飼い木６５に臨む躯体側面３８ｄとなる躯体対向部に相当する。下アタッチメント３８は、上アタッチメント３７と同一の部材であっても良い。
【００３５】
改装縦枠２３は、既設枠５１の中央面板部５４ｂとほぼ平行に配置される内周壁部２３ａと、内周壁部２３ａの室外側の端部に設けられ後述する側連結部材３３と係合する係合片２３ｂと、内周壁部２３ａの室内側の端部に設けられ内周壁部２３ａと直交する面を形成して額縁６に当接される側額縁当接部２３ｃと、内周壁部２３ａの見込み方向における中央より室外側の位置から開口２の中央側に突出された室外側障子当接部２３ｄと、内周壁部２３ａの見込み方向における中央より室内側の位置から開口２の中央側に突出された室内側障子当接片２３ｅと、内周壁部２３ａの見込み方向におけるほぼ中央の位置から開口２の外方側に突出された中央突出片２３ｆと、を有している。室外側障子当接部２３ｄは、室外側に向かって開放された凹部２３ｇをなしており、凹部２３ｇには改装障子１２に当接されるシール材６０が嵌合されている。内周壁部２３ａの右側、即ち開口２の中央側であって側額縁当接部２３ｃと室内側障子当接片２３ｅとの間には、額縁６の室外側の縁部を覆いビス止めされる側額縁カバー２７が嵌合されている。側額縁カバー２７は、額縁６の右面を覆う右カバー部２７ａと、額縁６の室外側の面を覆う外カバー部２７ｂと、室内側障子当接片２３ｅの室内側にて室内側障子当接片２３ｅに沿って配置され室内側障子当接片２３ｅの先端に係合された内側障子当接部２７ｃと、外カバー部２７ｂと内側障子当接部２７ｃとの間を連結する連結部２７ｄとを有している。内側障子当接部２７ｃは、室内側障子当接片２３ｅより開口２の中央側に突出されており、突出された先端部に室外側に向かって開放された凹部２７ｆを有しており、凹部２７ｆには改装障子１２に当接されるシール材６０が嵌合されている。
【００３６】
改装縦枠２３は、既設縦枠５４に側連結部材３３を介して固定されるとともに、躯体３に側アタッチメント３９を介して固定されている。
【００３７】
側連結部材３３は、中央面板部５４ｂと内周壁部２３ａとの間に改装され、水平断面が見込み方向に長い中空部をなす連結部本体３３ａと、連結部本体３３ａの室外側の壁部が右方向に延出された外側右延出部３３ｂと、連結部本体３３ａの室内側の壁部が右方向に延出された内側右延出部３３ｃと、連結部本体３３ａの既設縦枠５４と対向する壁部が室内方向に延出された内方右延出部３３ｄとを有している。外側右延出部３３ｂの先端には内周壁部２３ａの室外側端の係合片２３ｂと係合するフック部３３ｅが設けられている。内側右延出部３３ｃの先端は、改装縦枠２３と側連結部材３３とが組み合わされたときに内周壁部２３ａの既設縦枠５４と対向する面に突き当たるように構成されている。内方右延出部３３ｄは、室内側の端部が室内側に向かって躯体３側に傾斜する傾斜部３３ｆが設けられている。
【００３８】
側アタッチメント３９は、側額縁当接部２３ｃと内側右延出部３３ｃの間に配置されて室内側から内側右延出部３３ｃにビス止めされる板状の縦枠固定板部３９ａと、縦枠固定板部３９ａの左端から延出され室内側に向かって左側に傾斜する傾斜板部３９ｂとを有している。傾斜板部３９ｂは、縦枠固定板部３９ａが側額縁当接部２３ｃにビス止めされると、一方の面が室内に臨む室内側面３９ｃとなり、他方の面が躯体側、具体的には飼い木６５に臨む躯体側面３９ｄとなる躯体対向部に相当する。
【００３９】
本改装サッシ１０の改装方法は、図３、図４に示すように、改装サッシ１０を取り付ける開口２に既に設けられているＦＩＸ窓用の既設サッシ５０の既設枠５１に嵌め込まれたガラス５８と、ガラス５８を室内外から狭持していたシール材６０及びビード６１を取り外す（面材除去工程）。そして、既設上枠５２の上枠延出部５２ｇに上連結部材３０の既設上枠固定部３０ａの上面を当接させてビス止めするとともに、既設サッシ５０用の額縁６ａとの間に飼い木６５を介在させて飼い木６５、額縁６ａとともに躯体３にビス止めする。このとき、上連結部材３０が有する既設上枠固定部３０ａの上規制片３０ｄより室外側の部位の上面を既設上枠５２の凹部５２ｅの下面に当接させるとともに、上規制片３０ｄの外突起３０ｅを既設上枠５２の凹部５２ｅを形成している室内側の面５２ｈに室外側から当接させて位置決めする。ここで、上連結部材３０においては、外突起３０ｅが面材支持部に当接される既設枠当接部に相当する。
【００４０】
改装サッシ１０は、改装障子１２を取り外して、改装上枠２１には、上額縁カバー２５を上係合片に２１ｇに係合させるとともに上アタッチメント３７を上額縁当接部２１ｈにビス止めしておく。
【００４１】
また、改装下枠２２には、下額縁カバー２６を下係合部２２ｈに係合させ、改装枠固定部３１ａを下中空部２２ｅの下面に当接させて下連結部材３１を下方からビス止めするとともに、下アタッチメント３８を下額縁当接部２２ｇにビス止めする。このとき、鉤状部２２ｉに下係合片３１ｅを係合させて位置決めする。また、改装下枠２２と下連結部材３１との間には水密材６６を介在させておく。ここで、下連結部材３１においては、下係合片３１ｅが改装枠２０に当接される改装枠当接部に相当する。
【００４２】
左右の改装縦枠２３には、側額縁カバー２７を改装縦枠２３の側額縁当接部２３ｃと室内側障子当接片２３ｅとの間に嵌合してビス止めする。また、左右の側連結部材３３には、側アタッチメント３９の縦枠固定板部３９ａを内側右延出部３３ｃに当接させてビス止めする。この状態で、側アタッチメント３９の傾斜板部３９ｂと側連結部材３３の傾斜部３３ｆとが重なるように構成されている。側アタッチメント３９が固定された側連結部材３３の外側右延出部３３ｂの先端に設けられたフック部３３ｅと改装縦枠２３の係合片２３ｂとを係合するとともに、側額縁当接部２３ｃと縦枠固定板部３９ａ及び内側右延出部３３ｄとをビス止めする。ここで、側連結部材３３においては、フック部３３ｅが改装枠２０に当接される改装枠当接部に相当する。
【００４３】
そして、上額縁カバー２５、下額縁カバー２６、側額縁カバー２７、下連結部材３１、側連結部材３３、上アタッチメント３７、下アタッチメント３８、側アタッチメント３９、が取り付けられた改装枠２０を、上連結部材３０が取り付けられた既設枠５１の内周側に挿入する。このとき、改装枠２０は、下端側か上端側より室外側に位置するように傾斜させて既設枠５１の内周側に進入させる。このとき、下連結部材３１の凹部当接部３１ｃを既設下枠５３の凹部５３ｄと垂壁部５３ｆとの間に挿入して、改装枠２０の上端側を室外側に移動させて、改装上枠２１の外垂部２１ｅの室外側の面を上連結部材３０が有する下規制片３０ｂの内突起３０ｃに当接させて位置決めする。また、このとき、既設下枠５３の凹部５３ｄと垂壁部５３ｆとの間に挿入した下連結部材３１の凹部当接部３１ｃの室外側の面を、凹部５３ｄの室内側の面５３ｇに当接させて位置決めするとともに、下連結部材３１の突出延出部３１ｂを既設下枠５３の凹部５３ｄと下枠延出部５３ｅ上に載置する。このとき、さらに左右の側連結部材３３の外側右延出部３３ｂ及び連結部本体３３ａの室外側の壁部３３ｇを既設縦枠５４の凹部５４ｄの室内側の面５４ｆに当接させて位置決めする（改装枠位置決め工程）。ここで、下連結部材３１においては、凹部当接部３１ｃが面材支持部に当接される既設枠当接部に相当し、側連結部材３３においては、連結部本体３３ａの室外側の壁部３３ｇが面材支持部に当接される既設枠当接部に相当する。また、凹部５３ｄの室内側の面５３ｇ及び凹部５４ｄの室内側の面５４ｆが面材支持部の当接面に相当する。
【００４４】
改装枠２０が既設枠５１に対して位置決めされた状態にて、改装上枠２１側では、上板部２１ａを上連結部材３０の既設上枠固定部３０ａに、下方からビス６３にて固定し、上アタッチメント３７の室内側面３７ｃから傾斜板部３７ｂを貫通するビス６２にて躯体３に固定する。改装下枠２２側では、凹部当接部３１ｃが当接されている既設下枠５３の凹部５３ｄの室外側から、凹部５３ｄの室内側の面５３ｇと交差する方向に進入する固定具としてのビス６３にて凹部当接部３１ｃを凹部５３ｄに固定し、下アタッチメント３８の室内側面３８ｃから傾斜板部３８ｂを貫通するビス６２にて躯体３に固定する。改装縦枠２３側では、外側右延出部３３ｂ及び連結部本体３３ａの室外側の壁部３３ｇが当接されている既設縦枠５４の凹部５４ｄの室外側から、凹部５４ｄの室内側の面５４ｆと交差する方向に進入する固定具としてのビス６３にて外側右延出部３３ｂ及び連結部本体３３ａを凹部５３ｄに固定し、側アタッチメント３９の室内側面３９ｃから傾斜板部３９ｂを貫通するビス６２にて躯体３に固定する（固定工程）。このようにして、改装枠２０が既設枠５１に取り付けられる。このとき、必要に応じて、飼い木６５を介在させる。
【００４５】
改装枠２０が既設枠５１に取り付けた後に、既設サッシ５０用の額縁６ａを覆うように改装サッシ１０用の額縁６を形成し、最後に改装障子１２を取り付けて図１、図２のようにサッシの改装が完了する。
【００４６】
本実施形態の改装サッシ及びサッシの改装方法において、改装枠２０が位置決めされる基準となる、上外面材支持部５２ｃ、下外面材支持部５３ｂ、側外面材支持部５４ｃは、ガラス５８が取り外された既設サッシ５０の既設枠５１においてガラス５８を室外側から支持していた部位である。即ち、ガラス５８の単一の面（室外側の面）を支持していた部位なので、上外面材支持部５２ｃが有する凹部５２ｅの室内を臨む面５２ｈ、下外面材支持部５３ｂが有する凹部５３ｄの室内に臨む面５３ｇ、側外面材支持部５４ｃが有する凹部５４ｄの室内を臨む面５４ｆは、既設枠５１の全周に渡って同一平面をなすように形成されている。そして、改装サッシ１０は、改装枠２０が、これら凹部５２ｅの室内を臨む面５２ｈ、凹部５３ｄの室内に臨む面５３ｇ、凹部５４ｄの室内を臨む面５４ｆにて位置決めされるので、既設枠５１が同一平面をなすように位置決めされる。また、改装枠２０が位置決めされる上外面材支持部５２ｃの凹部５２ｅ、下外面材支持部５３ｂの凹部５３ｄ、側外面材支持部５４ｃの凹部５４ｄは、重量のあるガラス５８を支持するだけの強度を備えているので、変形しにくく精度を保ちやすい。このため、改装枠２０を精度良くかつ容易に位置決めして躯体３に固定することが可能である。
【００４７】
具体的には、上連結部材３０は凹部５２ｅの室内を臨む面５２ｈに、上規制片３０ｄの外突起３０ｅが当接されることにより既設枠５１に対して位置決めされて固定される。下連結部材３１は凹部５３ｄの室内に臨む面５３ｇに、凹部当接部３１ｃが当接されることにより既設枠５１に対して位置決めされて固定される。側連結部材３３は側凹部５４ｄの室内を臨む面５４ｆに連結部本体３３ａの室外側の壁部３３ｇが当接されることにより既設枠５１に対して位置決めされて固定される。そして、改装枠２０は、既設枠５１に対して位置決めされて固定された上連結部材３０の内突起３０ｃ、下連結部材３１の突出延出部３１ｂ、側連結部材３３のフック部３３ｅにそれぞれ当接されるので、上連結部材３０、下連結部材３１、側連結部材３３を介して既設枠５１に対して精度良く位置決めされる。このため、改装枠２０を確実に精度良く既設枠５１に位置決めして躯体３に固定することが可能である。
【００４８】
また、下外面材支持部５３ｂ及び側外面材支持部５４ｃはガラス５８を室外側から支持する部位なので、下外面材支持部５３ｂ及び側外面材支持部５４ｃの当接面、即ち、凹部５３ｄ、５４ｄの室内に臨む面５３ｇ、５４ｆと直交する方向に進入するビス６３により凹部当接部３１ｃ、３３ｂが固定されると下連結部材３１及び側連結部材３３と下外面材支持部５３ｂ及び側外面材支持部５４ｃとが確実に当接されて位置決めできるとともに、より強固に固定することが可能である。
【００４９】
また、改装枠２０に固定される上アタッチメント３７、下アタッチメント３８、側アタッチメント３９は室内に臨む室内側面３７ｃ、３８ｃ、３９ｃと躯体３側に向く躯体側面３７ｄ、３８ｄ、３９ｄとが表裏一体をなす傾斜板部３７ｂ、３８ｂ、３９ｂを有しているので、改装枠２０に固定された上アタッチメント３７、下アタッチメント３８、側アタッチメント３９が傾斜板部３７ｂ、３８ｂ、３９ｂを貫通するビス６２により躯体３に取り付けられることにより、改装枠２０を強固に躯体３に固定することが可能である。
【００５０】
また、改装枠２０は、既設枠５１の内周側に室内側から挿入され、室内側から固定されるので、室内の安定した場所にて施行することが可能であり、改装枠２０の挿入方向と固定方向とが同一なので、施工性に優れた改装サッシ１０を提供することが可能である。
【００５１】
上記実施形態においては、既設サッシが単板のガラスを有する既設サッシを例に挙げて説明したが、複層ガラスが設けられているＦＩＸ窓用の既設サッシに改装サッシに改装しても良い。例えば、図５に示すように、複層ガラス５９が上外面材支持部７０と押縁７１との間に介在されシール材６０とビード６１とにより支持されていた場合には、複層ガラス５９、シール材６０、ビード６１を取り外した際の上外面材支持部７０と押縁７１との間隔が広くなる。このため、例えば上連結部材７２に、押縁７１と係合する係合部７２ａを見込み方向に間隔を隔てて複数の備えておき、既設上枠５２に合わせて適宜係合部７２ａを切除して、上連結部材７２を既設上枠５２に嵌合しても良い。
【００５３】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５４】
２  開口、３  躯体、１０  改装サッシ、１２  改装障子、２０  改装枠、
２１  改装上枠、２２  改装下枠、２３  改装縦枠、３０  上連結部材、
３０ｃ  内突起、３０ｅ  外突起、３１  下連結部材、３１ｃ  凹部当接部、
３１ｅ  下係合片、３３  側連結部材、３３ｅ  フック部、
３３ｇ  連結部本体の室外側の壁部、３７  上アタッチメント、３７ｂ  傾斜板部、
３７ｃ  室内側面、３７ｄ  躯体側面、３８  下アタッチメント、３８ｂ  傾斜板部、
３８ｃ  室内側面、３８ｄ  躯体側面、３９  側アタッチメント、３９ｂ  傾斜板部、
３９ｃ  室内側面、３９ｄ  躯体側面、５０  既設サッシ、５１  既設枠、
５２  既設上枠、５２ｅ  凹部、５２ｈ  凹部の室内に臨む面、５３  既設下枠、
５３ｄ  凹部、５３ｇ  凹部の室内に臨む面、５４  既設縦枠、５４ｄ  凹部、
５４ｆ  凹部の室内に臨む面、５８  ガラス、５９  複層ガラス、６２，６３  ビス
【図１】
0005748974.tif 000002
【図２】
0005748974.tif 000003
【図３】
0005748974.tif 000004
【図４】
0005748974.tif 000005
【図５】
0005748974.tif 000006